(57)【特許請求の範囲】
【請求項１】
無線通信を介して撮像装置と通信する通信手段と、
前記通信手段を介して前記撮像装置を遠隔制御する制御手段と、
前記通信手段を介して前記撮像装置の撮影機能を起動させる場合に、ユーザに対して前記撮影機能を起動することの確認を促す確認情報を出力する出力手段と、を有し、
前記通信手段を介して前記撮像装置の撮影機能を起動させる場合、前記制御手段は、前記撮像装置の撮影機能を起動させる前に前記確認情報を出力するか否かを、前記撮像装置の起動状態に応じて異ならせ、
前記出力手段により出力された前記確認情報に対してユーザにより前記撮影機能の起動が許可された場合には、前記撮像装置の電源をＯＮさせた後、前記撮影機能を起動させ、
前記撮影機能はレンズ鏡筒の繰り出しを含むことを特徴とする通信装置。
【請求項２】
前記出力手段は、前記通信手段を介して前記撮像装置の撮影機能を起動させる場合に、前記撮像装置の起動状態が電源ＯＮの状態よりも消費電力の少ないスタンバイ状態ではなかったならば、前記撮像装置に対する操作の有無を確認し、操作がなかった場合に前記確認情報を出力することを特徴とする請求項１に記載の通信装置。
【請求項３】
前記出力手段は、前記通信手段を介して前記撮像装置の撮影機能を起動させる場合に、前記撮像装置の起動状態が電源ＯＮの状態よりも消費電力の少ないスタンバイ状態であったならば、前記撮像装置に対する操作が確認されたか否かにかかわらず、前記確認情報を出力することを特徴とする請求項２に記載の通信装置。
【請求項４】
前記通信手段を介して前記撮像装置にコマンドを送信する送信手段をさらに有し、
前記送信手段は、前記通信手段を介して前記撮像装置の撮影機能を起動させる場合に、前記撮像装置に対して起動状態の確認要求を送信することを特徴とする請求項１ないし３のいずれか１項に記載の通信装置。
【請求項５】
前記通信手段を介して前記撮像装置にコマンドを送信する送信手段をさらに有し、
前記送信手段は、前記通信手段を介して前記撮像装置の撮影機能を起動させる場合に、前記撮像装置に対して撮影モードへの遷移要求を送信することを特徴とする請求項１に記載の通信装置。
【請求項６】
前記確認情報は、レンズ鏡筒の繰り出しを行ってもよいかユーザに確認する画面であることを特徴とする請求項１ないし５のいずれか１項に記載の通信装置。
【請求項７】
前記出力手段は、前記撮像装置の撮影機能が起動された場合には、前記撮像装置を遠隔操作するためのリモコン画面を表示することを特徴とする請求項１ないし６のいずれか１項に記載の通信装置。
【請求項８】
無線通信を介して外部装置と通信する通信手段を介して前記外部装置により遠隔制御される撮像装置であって、
レンズにより結像された被写体像を撮像する撮像手段と、
前記通信手段を介して前記外部装置から受信したコマンドに基づいて前記撮像手段を制御する制御手段と、
前記通信手段を介して前記外部装置から撮影機能を起動する要求を受け付けた場合、前記撮像装置の起動状態に応じて、前記外部装置のユーザに撮影機能を有効にすることの確認を促す確認情報を出力するよう指示する指示手段と、
前記撮像装置への電源供給を制御する電源管理手段と、を有し、
前記電源管理手段は、前記撮像装置の全体に電力供給を行っている電源ＯＮ状態、前記通信手段と前記電源管理手段に限定して電力供給を行っているスタンバイ状態、前記撮像装置への電力供給を停止する電源ＯＦＦ状態のうちのいずれかの状態をとり、
前記通信手段は、前記撮像装置の起動状態が前記スタンバイ状態であった場合には、前記外部装置においてユーザにより前記撮影機能の起動が許可されたことに応じて、前記外部装置から前記撮影機能を起動するコマンドを受信し、
前記撮影機能はレンズ鏡筒の繰り出しを含むことを特徴とする撮像装置。
【請求項９】
前記制御手段は、前記通信手段を介して前記外部装置から前記撮影機能を起動するコマンドを受信したことに応じて前記撮像装置の起動状態を確認すると共に、前記起動状態に応じて前記撮像装置に対する操作の有無を確認し、
前記起動状態がスタンバイ状態ではなく、前記撮像装置に対する操作がない場合に前記確認情報を出力する要求を送信することを特徴とする請求項８に記載の撮像装置。
【請求項１０】
前記制御手段は、前記起動状態がスタンバイ状態であった場合には、前記撮像装置に対する操作の有無にかかわらず、前記確認情報を出力する要求を送信することを特徴とする請求項９に記載の撮像装置。
【請求項１１】
前記制御手段は、ユーザにより前記撮影機能の起動が許可された場合には、前記撮像装置の電源を前記スタンバイ状態から電源ＯＮ状態にして前記撮影機能を起動することを特徴とする請求項９または１０に記載の撮像装置。
【請求項１２】
無線通信を介して撮像装置と通信する通信手段を有し、前記通信手段を介して前記撮像装置を遠隔制御する通信装置の制御方法であって、
前記通信手段を介して前記撮像装置の撮影機能を起動させる場合に、ユーザに対して前記撮影機能を起動することの確認を促す確認情報を出力する出力ステップと、
前記通信手段を介して前記撮像装置の撮影機能を起動させる場合、前記撮像装置の撮影機能を起動させる前に前記確認情報を出力するか否かを、前記撮像装置の起動状態に応じて異ならせる制御ステップと、を有し、
前記制御ステップでは、前記出力ステップにより出力された前記確認情報に対してユーザにより前記撮影機能の起動が許可された場合には、前記撮像装置の電源をＯＮさせた後、前記撮影機能を起動させ、
前記撮影機能はレンズ鏡筒の繰り出しを含むことを特徴とする通信装置の制御方法。
【請求項１３】
無線通信を介して外部装置と通信する通信手段と、レンズにより結像された被写体像を撮像する撮像手段と、撮像装置への電源供給を制御する電源管理手段とを有し、前記通信手段を介して前記外部装置により遠隔制御される撮像装置の制御方法であって、
前記通信手段を介して前記外部装置から受信したコマンドに基づいて前記撮像手段を制御する制御ステップと、
前記通信手段を介して前記外部装置から撮影機能を起動する要求を受け付けた場合、前記撮像装置の起動状態に応じて、前記外部装置のユーザに撮影機能を有効にすることの確認を促す確認情報を出力するよう指示する指示ステップと、
前記撮像装置の全体に電力供給を行っている電源ＯＮ状態、前記通信手段と前記電源管理手段に限定して電力供給を行っているスタンバイ状態、前記撮像装置への電力供給を停止する電源ＯＦＦ状態のうちのいずれかの状態をとるように前記撮像装置への電源供給を制御する電源管理ステップと、を有し、
前記制御ステップでは、前記通信手段を介して、前記撮像装置の起動状態が前記スタンバイ状態であった場合には、前記外部装置においてユーザにより前記撮影機能の起動が許可されたことに応じて、前記外部装置から前記撮影機能を起動するコマンドを受信し、
前記撮影機能はレンズ鏡筒の繰り出しを含むことを特徴とする撮像装置の制御方法。
【請求項１４】
コンピュータを、請求項１ないし７のいずれか１項に記載された通信装置の各手段として機能させるためのプログラム。
【請求項１５】
コンピュータを、請求項８ないし１１のいずれか１項に記載された撮像装置の各手段として機能させるためのプログラム。
【発明の詳細な説明】
【技術分野】
【０００１】
本発明は、無線通信により機器を遠隔制御する技術に関する。
【背景技術】
【０００２】
近年、携帯電話を含むスマートデバイスを無線ＬＡＮ（Ｌｏｃａｌ  Ａｒｅａ  Ｎｅｔｗｏｒｋ）やＢｌｕｅｔｏｏｔｈ（登録商標）を介して接続し、スマートデバイスから遠隔操作が可能なデジタルカメラが知られている。このような遠隔制御機能を持つデジタルカメラは、スマートデバイスから撮影動作や再生動作が遠隔制御できる。しかしながら、遠隔制御では、カメラを把持して支えることができないため、例えば鏡筒の伸び縮み等に起因する問題がある。特許文献１では、カメラが転倒することを防ぐために、遠隔制御モード中はレンズの動作を禁止することを開示している。
【先行技術文献】
【特許文献】
【０００３】
【特許文献１】特開２００１−１４７３６３号公報
【発明の概要】
【発明が解決しようとする課題】
【０００４】
しかしながら、上述の特許文献１では、遠隔制御可能な状態に遷移する指示やメインＣＰＵの電源をオンにする指示も遠隔制御により行う場合については何ら考慮されていない。このような遠隔制御機能を備えた場合には、遠隔制御可能な状態になる前の段階でも、鏡筒の動きを適切に制御しなければならない。なぜなら、一般的にデジタルカメラの電源をオンにすると、撮影モードに遷移して鏡筒が自動的に伸びるからである。このような操作が遠隔操作で可能となった場合、ユーザは、鏡筒が伸びてしまうことに気が付かずに、カメラの電源をリモートでオンにしてしまう虞がある。
【０００５】
本発明は、上記課題に鑑みてなされ、その目的は、遠隔制御を行う際に安全に鏡筒の繰り出し動作を実行しかつユーザ操作の煩わしさを解消することが可能な遠隔制御技術を実現することである。
【課題を解決するための手段】
【０００６】
上記課題を解決し、目的を達成するために、本発明の通信装置は、無線通信を介して撮像装置と通信する通信手段と、前記通信手段を介して前記撮像装置を遠隔制御する制御手段と、前記通信手段を介して前記撮像装置の撮影機能を起動させる場合に、ユーザに対して前記撮影機能を起動することの確認を促す確認情報を出力する出力手段と、を有し、前記通信手段を介して前記撮像装置の撮影機能を起動させる場合、前記制御手段は、前記撮像装置の撮影機能を起動させる前に前記確認情報を出力するか否かを、前記撮像装置の起動状態に応じて異ならせ、前記出力手段により出力された前記確認情報に対してユーザにより前記撮影機能の起動が許可された場合には、前記撮像装置の電源をＯＮさせた後、前記撮影機能を起動させ、前記撮影機能はレンズ鏡筒の繰り出しを含む。
【０００８】
また、本発明の撮像装置は、無線通信を介して外部装置と通信する通信手段と、レンズにより結像された被写体像を撮像する撮像手段と、前記撮像装置への電源供給を制御する電源管理手段とを有し、前記通信手段を介して前記外部装置により遠隔制御される撮像装置の制御方法であって、前記通信手段を介して前記外部装置から受信したコマンドに基づいて前記撮像手段を制御する制御ステップと、前記通信手段を介して前記外部装置から撮影機能を起動する要求を受け付けた場合、前記撮像装置の起動状態に応じて、前記外部装置のユーザに撮影機能を有効にすることの確認を促す確認情報を出力するよう指示する指示ステップと、前記撮像装置の全体に電力供給を行っている電源ＯＮ状態、前記通信手段と前記電源管理手段に限定して電力供給を行っているスタンバイ状態、前記撮像装置への電力供給を停止する電源ＯＦＦ状態のうちのいずれかの状態をとるように前記撮像装置への電源供給を制御する電源管理ステップと、を有し、前記制御ステップでは、前記通信手段を介して、前記撮像装置の起動状態が前記スタンバイ状態であった場合には、前記外部装置においてユーザにより前記撮影機能の起動が許可されたことに応じて、前記外部装置から前記撮影機能を起動するコマンドを受信し、前記撮影機能はレンズ鏡筒の繰り出しを含む。
【発明の効果】
【００１０】
本発明によれば、ユーザに対して鏡筒を繰り出してよいかどうかを確認するタイミングを適切に制御し、遠隔制御を行う際に安全に鏡筒の繰り出し動作を実行しかつユーザ操作の煩わしさを解消することが可能となる。
【図面の簡単な説明】
【００１１】
【図１】本実施形態のデジタルカメラの構成を示すブロック図（ａ）及び外観図（ｂ）、（ｃ）。
【図２】本実施形態のスマートデバイスの構成を示すブロック図（ａ）及び外観図（ｂ）。
【図３】本実施形態のスマートデバイスの画面表示例。
【図４】本実施形態のデジタルカメラとスマートデバイスの通信シーケンス図。
【図５】実施形態１のスマートデバイスの動作フローチャート。
【図６】実施形態１のデジタルカメラの動作フローチャート。
【図７】実施形態２のデジタルカメラとスマートデバイスの通信シーケンス図。
【図８】実施形態２のデジタルカメラの動作フローチャート。
【図９】実施形態２のスマートデバイスの動作フローチャート。
【発明を実施するための形態】
【００１２】
以下に、本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成してもよい。
【００１３】
［実施形態１］
以下、本発明の撮像装置および通信装置としてデジタルカメラとスマートデバイスを適用し、スマートデバイス２００によりデジタルカメラ１００を遠隔制御するシステムについて説明する。なお、スマートデバイスは、携帯電話の一種であるスマートフォン、タブレット、腕時計型のスマートウォッチ、メガネ型のスマートグラス等のウェアラブルコンピュータを含む。
【００１４】
＜デジタルカメラ１００の構成＞
まず、図１を参照して、本実施形態の撮像装置の一例であるデジタルカメラ１００の構成について説明する。なお、ここでは撮像装置の一例としてデジタルカメラについて述べるが、これに限られず、鏡筒が繰り出し可能なレンズユニットが外付けされたスマートデバイス等の情報処理端末であってもよい。また、本実施形態のデジタルカメラは、主に静止画を撮影するスチルカメラのほか、主に動画を撮影するビデオカメラを含む。
【００１５】
制御部１０１は、デジタルカメラ１００の全体を統括して制御する演算処理装置（ＣＰＵ）であって、後述する不揮発性メモリ１０３に格納されたプログラムを実行することで、後述する通信処理および制御処理を実現する。なお、制御部１０１が装置全体を制御する代わりに、複数のハードウェアが処理を分担することで、装置全体を制御してもよい。
【００１６】
撮像部１０２は、ズームレンズやフォーカスレンズを含むレンズ群、絞り機能を備えるシャッターを含む。また、撮像部１０２は、被写体像を電気信号に変換するＣＣＤやＣＭＯＳ素子等で構成される撮像素子、撮像素子から出力されるアナログ画像信号をデジタル信号に変換するＡ／Ｄ変換器を有する。撮像部１０２は、制御部１０１の制御により、撮像部１０２に含まれるレンズにより結像された被写体像光を、撮像素子により電気信号に変換し、ノイズ低減処理などを行って、デジタル信号からなる画像データを出力する。
【００１７】
画像処理部１１０は、撮像部１０２により撮像された画像データに対し、画素補間、縮小といったリサイズ処理や色変換処理を行う。また、画像処理部１１０は、上記処理を施した静止画データをＪＰＥＧ等により圧縮符号化したり、動画データをＭＰＥＧ２やＨ．２６４等の動画圧縮方式でエンコードして画像ファイルを生成し、記録媒体１０７に記録する。本実施形態のデジタルカメラ１００では、画像データはＤＣＦ（Ｄｅｓｉｇｎ  Ｒｕｌｅ  ｆｏｒ  Ｃａｍｅｒａ  Ｆｉｌｅ  ｓｙｓｔｅｍ）規格に従って、記録媒体１０７に記録される。また、画像処理部１１０は、撮像した画像データを用いて所定の演算処理を行い、得られた演算結果に基づき制御部１０１が撮像部１０２のフォーカスレンズや絞り、シャッターを制御することで、ＡＦ（オートフォーカス）処理やＡＥ（自動露出）処理を行う。
【００１８】
不揮発性メモリ１０３は、電気的に消去・記録可能なメモリであり、例えばＥＥＰＲＯＭ等が用いられる。不揮発性メモリ１０３には、制御部１０１の動作用の定数、プログラム等が記録される。ここでいう、プログラムとは、本実施形態にて後述する通信シーケンスや制御シーケンスを実行するためのプログラムのことである。
【００１９】
作業用メモリ１０４は、制御部１０１の動作用の定数、変数、不揮発性メモリ１０３から読み出したプログラム等を展開する作業領域として使用される。また、作業用メモリ１０４は、撮像部１０２で撮像された画像データを一時的に保持するバッファメモリや、表示部１０６の画像表示用メモリとして使用される。
【００２０】
操作部１０５は、ユーザからの各種操作を受け付ける各種スイッチ、ボタン、タッチパネル等の操作部材からなる。例えば図１（ｂ）および（ｃ）に示すように、操作部１０５は、電源をオン・オフする電源ボタン１０５ａ、撮影指示を行うシャッターボタン１０５ｂを含む。更に、操作部１０５は、カメラの動作モードを撮影モードや再生モードに変更するモード切替ボタン１０５ｃ、カメラの各種設定を行うための上下左右のボタンからなる４方向キー１０５ｄなどを含む。また、操作部１０５は、後述する外部装置としてのスマートデバイス２００との通信を開始するための専用の接続ボタン等を含む。また、後述する表示部１０６に一体的に形成されるタッチパネル１０５ｅも操作部１０５に含まれる。
【００２１】
シャッターボタン１０５ｂは操作途中、いわゆる半押し（撮影準備指示）でＯＮとなり第１シャッタースイッチ信号ＳＷ１を発生する。第１シャッタースイッチ信号ＳＷ１を受けて、制御部１０１は撮像部１０２を制御することによりＡＦ（オートフォーカス）処理やＡＥ（自動露出）処理、ＡＷＢ（オートホワイトバランス）処理、ＥＦ（フラッシュプリ発光）処理等の動作を開始する。また、シャッターボタン１０５ｂの操作完了、いわゆる全押し（撮影指示）でＯＮとなり、第２シャッタースイッチ信号ＳＷ２を発生する。制御部１０１は、第２シャッタースイッチ信号ＳＷ２を受けて、撮像部１０２からの信号読み出しから記録媒体１０７に画像データを書き込むまでの一連の撮影処理の動作を開始する。
【００２２】
表示部１０６は、撮影時のビューファインダー画像の表示、撮影した画像の表示、対話的な操作のための文字表示等を行う。表示部１０６は、例えば、液晶ディスプレイ、有機ＥＬディスプレイ等の表示デバイスである。表示部１０６は、デジタルカメラ１００と一体化された構成であっても、デジタルカメラ１００に接続された外部装置であってもよい。デジタルカメラ１００は、表示部１０６と接続することができ、表示部１０６の表示を制御する機能を有していればよい。
【００２３】
記録媒体１０７は、撮像部１０２から出力された画像データが記録されたり、制御部１０１により既に記録されている画像ファイルが読み出される。記録媒体１０７は、デジタルカメラ１００に装着されるメモリカードやハードディスクドライブ等であっても良いし、デジタルカメラ１００に内蔵されたフラッシュメモリやハードディスクドライブであってもよい。デジタルカメラ１００は少なくとも記録媒体１０７にアクセスする手段を有していればよい。
【００２４】
電源管理部１０８は、電源ボタン１０５ａおよびモード切り替えボタン１０５ｃからの信号を検出することに応じて、デジタルカメラ１００への電力供給を制御する。電源管理部１０８は、デジタルカメラ１００の全体に電力供給を行うほか、後述する副制御部１１６と近距離無線通信部１１２に限定して電力供給を行うことができる。本実施形態では、この電力の供給のレベルに応じて、以下の３つの起動状態をとる。すなわち、電源管理部１０８がカメラ全体に電力供給を行っている状態（電源ＯＮ状態）、副制御部１１６と近距離無線通信部１１２に限定して電力供給を行っている状態（スタンバイ状態）、カメラへの電力供給が停止されている状態（電源ＯＦＦ状態）である。スタンバイ状態は、デジタルカメラ１００は消費電力が極めて低い状態である。
【００２５】
通信部１１１は、後述するスマートデバイス２００などの外部装置と接続するためのインターフェースである。本実施形態のデジタルカメラ１００は、通信部１１１を介して、外部装置とデータの授受を行うことができる。例えば、画像処理部１１０で生成された画像データを、通信部１１１を介して外部装置に送信することができる。なお、本実施形態では、通信部１１１は外部装置とＩＥＥＥ８０２．１１の規格に従い、無線ＬＡＮで通信するためのインターフェースを含む。制御部１０１は、通信部１１１を制御することで外部装置との無線通信を実現する。なお、通信方式は無線ＬＡＮに限定されるものではなく、例えば、赤外線通信インターフェース、ＷｉｒｅｌｅｓｓＵＳＢなどの無線通信インターフェースを含むことができる。さらには、ＵＳＢケーブルなどの有線接続手段を用いてもよい。
【００２６】
近距離無線通信部１１２は、例えば無線通信のためのアンテナと無線信号を処理するため変復調回路や通信コントローラから構成される。近距離無線通信部１１２は、変調した無線信号をアンテナから出力し、またアンテナで受信した無線信号を復調することによりＩＥＥＥ８０２．１５の規格（Ｂｌｕｅｔｏｏｔｈ）に従った近距離無線通信を実現する。本実施形態においてＢｌｕｅｔｏｏｔｈでの通信は、低消費電力であるＢｌｕｅｔｏｏｔｈ  Ｌｏｗ  Ｅｎｅｒｇｙ（ＢＬＥ）のバージョン４．０を採用する。Ｂｌｕｅｔｏｏｔｈでの通信は、無線ＬＡＮでの通信と比べて通信可能な範囲が狭い（つまり、通信可能な距離が短い）。また、Ｂｌｕｅｔｏｏｔｈでの通信は、無線ＬＡＮでの通信と比べて通信速度が遅い。その一方で、Ｂｌｕｅｔｏｏｔｈでの通信は、無線ＬＡＮでの通信と比べて消費電力が少ない。
【００２７】
本実施形態のデジタルカメラ１００は、近距離無線通信部１１２を介してスマートデバイス２００などの外部装置とデータの授受を行うことができる。例えば外部装置から撮影コマンドを受信した場合は、撮像部１０２を制御して撮影処理を実行し、無線ＬＡＮでの通信によるデータの授受を行うためのコマンドを受信した場合は、通信部１１１を制御して無線通信を開始する。また、近距離無線通信部１１２は、前述のスタンバイ状態で動作可能であるため、スタンバイ状態で外部装置からデジタルカメラ１００の電源をオンするコマンドを受信した場合は、後述する副制御部１１６を介してカメラ全体の電源供給を開始することも可能である。
【００２８】
副制御部１１６は、近距離無線通信部１１２を制御し、外部装置との近距離無線通信を実現する。副制御部１１６は、前述のスタンバイ状態でも動作可能であり、外部装置から近距離無線通信部１１２を介してデジタルカメラ１００の電源をオンするコマンドを受信した場合は、電源管理部１０８を制御してカメラ全体への電源供給を開始することが可能である。
【００２９】
なお、本実施形態のデジタルカメラ１００が備える撮影モードとは、撮像部１０２や画像処理部１１０の動作によって撮像処理を行い、画像を生成するためのモードである。また、本実施形態のデジタルカメラ１００が備える再生モードとは、記録媒体１０７に記録されている画像を読み出して表示部１０６で閲覧するためのモードである。本実施形態のデジタルカメラ１００はモード切り替えボタン１０５ｃの操作によって、撮影モードと再生モードとを切り替えることができる。
【００３０】
また、電源ボタン１０５ａの押下によって起動する場合、デジタルカメラ１００は撮影モードの状態で起動する。この場合、自動的にレンズ鏡筒を繰り出し、撮影できる状態になる。
【００３１】
更に、モード切り替えボタン１０５ｃに対する操作でもデジタルカメラ１００を起動することができる。この場合、デジタルカメラ１００は再生モードの状態で起動する。なお、再生モードでは撮影を行わないため、この場合はレンズ鏡筒を繰り出すことはない。
【００３２】
＜スマートデバイス２００の構成＞
次に、図２を参照して、本実施形態の通信装置の一例であるスマートデバイス２００の構成について説明する。
【００３３】
本実施形態のスマートデバイス２００は、制御部２０１、撮像部２０２、不揮発性メモリ２０３、作業用メモリ２０４、操作部２０５、表示部２０６、記録媒体２０７、画像処理部２１０、通信部２１１、近距離無線通信部２１２を備える。上記各要素の基本的な機能はデジタルカメラ１００と同様であり、詳細な説明は省略する。
【００３４】
本実施形態のスマートデバイス２００の通信処理や制御処理は、アプリケーションにより提供されるソフトウェアを読み込むことにより実現される。なお、アプリケーションはスマートデバイス２００にインストールされたＯＳの基本的な機能を利用するためのソフトウェアを有しているものとする。なお、スマートデバイス２００のＯＳが本実施形態における処理を実現するためのソフトウェアを有していてもよい。
【００３５】
通信部２１１は、デジタルカメラ１００などの外部装置と無線で通信するための無線ＬＡＮ通信インターフェースを含む。制御部２０１は、通信部２１１を制御することで外部装置との無線通信を実現する。なお、通信部２１１は、デジタルカメラ１００と直接接続されてもよいし、アクセスポイントを介して接続される構成でもよい。データを通信するためのプロトコルとしては、例えば無線ＬＡＮを通じたＰＴＰ／ＩＰ（Ｐｉｃｔｕｒｅ  Ｔｒａｎｓｆｅｒ  Ｐｒｏｔｏｃｏｌ  ｏｖｅｒ  Ｉｎｔｅｒｎｅｔ  Ｐｒｏｔｏｃｏｌ）を用いることができる。なお、デジタルカメラ１００との通信はこれに限られるものではない。
【００３６】
近距離無線通信部２１２は、デジタルカメラ１００との近距離無線通信においては、最初にペアリングと呼ばれる近距離無線通信における一対一接続のための操作によってデジタルカメラ１００の近距離無線通信部１１２と接続する必要がある。ペアリング操作においては、例えばデジタルカメラ１００がＰｅｒｉｐｈｅｒａｌとなり、近距離無線通信部１１２を用いてＡｄｖｅｒｔｉｓｅと呼ばれる自分の存在を周辺に知らせる動作を行う。スマートデバイス２００がＣｅｎｔｒａｌとして動作し、近距離無線通信部２１２によりＳｃａｎ動作を行うことによって、デジタルカメラ１００を発見し、Ｉｎｉｔｉａｔｅ動作によって参加要請を行うことによって近距離無線通信接続を行う。なお、ペアリングという用語は暗号化を伴うＢｌｕｅｔｏｏｔｈ接続の際に限定して使用されることもあるが、本実施形態では暗号化の有無に関わらず、近距離無線通信を用いた一対一接続のための操作をペアリングと呼ぶ。
【００３７】
公衆網接続部２１３は、３Ｇ／ＬＴＥ等の広域ネットワーク（ＷＡＮ）を介して無線通信を行う際に用いられるインターフェースである。スマートデバイス２００は、公衆網接続部２１３を介して、他の機器と通話をしたり、データ通信をすることができる。通話の際には、制御部２０１はマイク２１４およびスピーカ２１５を介して音声信号の入力と出力を行う。本実施形態では、公衆網接続部２１３は３ＧやＬＴＥに限らず、ＷｉＭＡＸ、ＡＤＳＬ、ＦＴＴＨといった他の通信方式を用いてもよい。本実施形態では、公衆網接続部２１３はアンテナであり、制御部２０１は、アンテナを介して、公衆網に接続することができる。なお、通信部２１１および公衆網接続部２１３は、１つのアンテナで兼用することも可能である。なお、通信部２１１および公衆網接続部２１３は必ずしも独立したハードウェアで構成する必要はなく、例えば１つのアンテナで兼用することも可能である。
【００３８】
図２（ｂ）は、本実施形態のスマートデバイス２００の外観を示している。電源ボタン２０５ａ、ホームボタン２０５ｂ及びタッチパネル２０５ｃは、操作部２０５に含まれる操作部材である。ホームボタン２０５ｂは、ユーザが押下することで実行中のアプリケーションを中断し、表示部２０６に他のアプリケーションを選択できるホーム画面を表示することができる。
【００３９】
＜スマートデバイスによるデジタルカメラの遠隔操作＞
次に、図３から図６を参照して、デジタルカメラ１００とスマートデバイス２００がＢＬＥで無線通信を行い、スマートデバイス２００によりデジタルカメラ１００を遠隔操作して撮影可能となるまでの操作手順と通信処理について説明する。
【００４０】
まず、図３のスマートデバイス２００の画面表示例を参照しながら、図４のスマートデバイス２００とデジタルカメラ１００の通信シーケンスを説明する。
【００４１】
図４の通信シーケンスは、スマートデバイス２００とデジタルカメラ１００がＢＬＥにより無線通信可能な状態であって、デジタルカメラ１００の起動状態はスタンバイ状態から開始される。
【００４２】
図３の画面３０１は、スマートデバイス２００のホーム画面を示している。図４のＳ４０１でユーザは画面３０１でデジタルカメラ１００をＢＬＥや無線ＬＡＮを介して制御するためのアプリケーションを起動する。アプリケーションが起動すると、図３の画面３０２のようにデジタルカメラ１００を制御可能な機能（画面３０２では、無線ＬＡＮ接続（ハンドオーバー）機能、再生機能、撮影機能）が選択可能に表示される。この時点では、まだデジタルカメラ１００は起動していない（すなわちレンズ鏡筒は繰り出さない）ので、警告メッセージは表示されない。画面３０２で、ユーザがＳ４０２でデジタルカメラ１００の撮影機能を遠隔制御する”撮影リモコン”を選択すると、リモコンのモードに遷移する前に、Ｓ４０３でスマートデバイス２００からデジタルカメラ１００へ起動状態を確認するためのコマンド（カメラ起動状態確認要求）が送信される。
【００４３】
なお、画面３０２で、“再生リモコン”が選択された場合には、起動状態を確認するためのコマンドを送信することなく、カメラ電源起動要求および再生モード遷移要求を送信し、デジタルカメラ１００を再生モードで起動する。
【００４４】
デジタルカメラ１００はカメラ起動状態確認要求を受信すると電源ＯＮ状態かスタンバイ状態かを判定し、Ｓ４０５でデジタルカメラ１００の起動状態をスマートデバイスへ返信する（カメラ起動状態確認応答）。デジタルカメラ１００の起動状態がスタンバイ状態であった場合にスマートデバイス２００はＳ４０６において、表示部２０６に図３の画面３０３のような、モード遷移するとレンズ鏡筒の繰り出しが発生することをユーザに伝えるための警告メッセージを表示し、レンズ鏡筒の繰り出しを行ってもよいかどうかユーザに許可を求める。画面３０３において、Ｓ４０７でユーザが“はい”を選択すると、スマートデバイス２００はＳ４０８でデジタルカメラ１００に対して電源ＯＮ状態にするためのカメラ電源起動要求を送信する。デジタルカメラ１００はカメラ電源起動要求を受信すると、電源管理部１０８を制御してデジタルカメラ１００の電源をＯＮする。デジタルカメラ１００が電源ＯＮ状態になるとＳ４１０でデジタルカメラ１００はスマートデバイス２００に対してカメラ電源起動応答を送信する。
【００４５】
スマートデバイス２００はＳ４１１でデジタルカメラ１００を撮影モードに切り替えるための撮影モード遷移要求を送信し、デジタルカメラ１００はＳ４１２で撮像部１０２のレンズ鏡筒の繰り出しを伴う撮影モードへの状態遷移を行い、完了するとＳ４１３でスマートデバイス２００に対して撮影モード遷移応答を返信する。スマートデバイス２００は撮影モード遷移応答を受信すると、表示部２０６に図３の画面３０４のようなデジタルカメラ１００を操作するリモコン画面を表示する。ユーザはリモコン画面を操作することによってデジタルカメラ１００の撮影動作を制御することが可能となる。
【００４６】
＜スマートデバイスの動作＞
次に、図５を参照して、本実施形態のスマートデバイス２００の動作を説明する。
【００４７】
なお、本処理はデジタルカメラ１００の近距離無線通信部１１２とスマートデバイス２００の近距離無線通信部２１２がＢＬＥによって通信可能な状態となり、ユーザがスマートデバイス２００のホーム画面をタッチ操作することによって、デジタルカメラ１００を無線通信により制御するためのアプリケーションを起動し、図３の画面３０２で”撮影リモコン”を選択した時点から開始される。後述する図８でも同様である。
【００４８】
Ｓ５０１では、制御部２０１は、デジタルカメラ１００の起動状態を確認するために近距離無線通信部２１２を制御してデジタルカメラ１００へカメラ起動状態確認要求を送信する。
【００４９】
Ｓ５０２では、制御部２０１は、デジタルカメラ１００から近距離無線通信部２１２を介してカメラ起動状態確認応答が返信されるのを待つ。制御部２０１はカメラ起動状態確認応答を受信すると、処理をＳ５０３へ進める。
【００５０】
Ｓ５０３では、制御部２０１は、デジタルカメラ１００の起動状態を判断する。制御部２０１はカメラの起動状態がスタンバイ状態であると判断した場合は、処理をＳ５０４へ進める。
【００５１】
Ｓ５０４では、制御部２０１は表示部２０６に図３の画面３０３のような警告メッセージを表示し、ユーザに対して、デジタルカメラ１００のレンズ鏡筒を繰り出してもよいかどうかの確認を促す。
【００５２】
Ｓ５０５では、制御部２０１は、ユーザが画面３０３をタッチ操作して“はい”もしくは“いいえ”が選択されるのを待つ。
【００５３】
Ｓ５０６では、制御部２０１は、ユーザが“いいえ”を選択したと判定した場合は、ユーザが撮影リモコンの操作を続ける意思がないと判断できるので、図３の画面３０２に戻り、処理を終了する。また、制御部２０１は、ユーザが“はい”を選択したと判定した場合には、処理をＳ５０７へ進める。
【００５４】
Ｓ５０７では、制御部２０１は、近距離無線通信部２１２を介してデジタルカメラ１００にカメラ電源起動要求を送信する。
【００５５】
Ｓ５０８では、制御部２０１は、デジタルカメラ１００からカメラ電源起動応答が返信されるのを待つ。制御部２０１は、デジタルカメラ１００からカメラ電源起動応答を受信すると、処理をＳ５０９へ進める。
【００５６】
Ｓ５０９では、制御部２０１は、近距離無線通信部２１２を介してデジタルカメラ１００に撮影モード遷移要求を送信する。
【００５７】
Ｓ５１０では、制御部２０１は、デジタルカメラ１００から近距離無線通信部２１２を介して撮影モード遷移応答を受信するのを待つ。制御部２０１は、デジタルカメラ１００から撮影モード遷移応答を受信すると、処理をＳ５１１へ進める。
【００５８】
なお、Ｓ５０３のデジタルカメラ１００の起動状態判定において、スマートデバイス２００において既にデジタルカメラ１００が電源ＯＮ状態であると判定している場合にはＳ５０４からＳ５０８の処理は行わずに、Ｓ５０９へ処理を進める。
【００５９】
Ｓ５１１では、制御部２０１は、表示部２０６に図３の画面３０４のような撮影用のリモコン画面を表示し、リモコン画面へのユーザのタッチ操作に応じて近距離無線通信部２１２を介してデジタルカメラ１００へコマンドを送信する。
【００６０】
＜デジタルカメラの動作＞
次に、図６を参照して、本実施形態におけるデジタルカメラ１００の動作を説明する。なお、本処理はデジタルカメラ１００の近距離無線通信部１１２とスマートデバイス２００の近距離無線通信部２１２がＢＬＥによって通信可能な状態となった時点から開始される。後述する図９でも同様である。
【００６１】
Ｓ６０１では、副制御部１１６は、近距離無線通信部１１２を介してスマートデバイス２００からカメラ起動状態確認要求を受信するのを待つ。副制御部１１６は、スマートデバイス２００からカメラ起動状態確認応答を受信すると、処理をＳ６０２に進める。
【００６２】
Ｓ６０２では、副制御部１１６は、デジタルカメラ１００から受信したカメラ起動状態確認要求に応じてデジタルカメラ１００の起動状態を確認する。
【００６３】
Ｓ６０３では、副制御部１１６は、近距離無線通信部１１２を介してスマートデバイス２００へカメラ起動状態確認応答を送信する。なお、Ｓ６０２のカメラ起動状態の確認では、副制御部１１６は、スマートデバイス２００からカメラ起動状態確認応答を受信したタイミングで電源管理部１０８もしくは制御部１０１により起動状態を確認してもよい。あるいは、予め起動状態が変化する度に電源管理部１０８もしくは制御部１０１から通知を受け取り、メモリ１０４に記憶するようにしてもよい。
【００６４】
Ｓ６０４では、副制御部１１６は、デジタルカメラ１００の起動状態を判定する。副制御部１１６はデジタルカメラ１００の起動状態がスタンバイ状態であると判定した場合には、処理をＳ６０５へ進め、スタンバイ状態ではないと判定した場合には、処理をＳ６０８に進める。
【００６５】
Ｓ６０５では、副制御部１１６は、スマートデバイス２００から近距離無線通信部１１２を介してカメラ電源起動要求を受信するのを待つ。副制御部１１６は、スマートデバイス２００からカメラ電源起動要求を受信すると、処理をＳ６０６に進める。
【００６６】
Ｓ６０６では、副制御部１１６は、電源管理部１０８を制御して、デジタルカメラ１００を電源ＯＮ状態とし、処理をＳ６０７へ進める。
【００６７】
Ｓ６０７では、副制御部１１６は、近距離無線通信部１１２を介してスマートデバイス２００へカメラ電源起動応答を送信する。
【００６８】
Ｓ６０８では、副制御部１１６は、近距離無線通信部１１２を介してスマートデバイス２００から撮影モード遷移要求を受信するのを待つ。副制御部１１６は、スマートデバイス２００から撮影モード遷移要求を受信すると、処理をＳ６０９に進める。
【００６９】
Ｓ６０９では、副制御部１１６は、内部バスを介して制御部１０１に撮影モード遷移要求を送信する。
【００７０】
Ｓ６１０では、副制御部１１６は、制御部１０１から撮影モードへの遷移が完了したことを示す撮影モード遷移完了通知を受け取ると、処理をＳ６１１に進める。
【００７１】
Ｓ６１１では、副制御部１１６は、スマートデバイス２００に近距離無線通信部１１２を介して撮影モード遷移応答を送信する。
【００７２】
以上説明したように、本実施形態によれば、デジタルカメラ１００がスタンバイ状態であって、スマートデバイス２００で遠隔撮影要求を受けた場合にのみユーザに対してレンズ鏡筒の繰り出しを行ってもよいかどうかを確認する確認情報として警告メッセージを表示する。したがって、安全かつ煩わしさなしにスマートデバイスからの遠隔撮影操作が可能となる。
【００７３】
なお、デジタルカメラ１００の種類によっては撮影モードにおいても撮像部１０２のレンズ鏡筒が繰り出されないタイプもある。スマートデバイス２００は予めデジタルカメラ１００のタイプを判定し、撮影モードにおいて撮像部１０２のレンズ鏡筒を繰り出すタイプのデジタルカメラ１００に対してのみカメラ起動状態確認要求を送信し、レンズ鏡筒を繰り出さないタイプのデジタルカメラ１００にはカメラ起動状態の確認を行わずに、カメラ電源起動要求・撮影モード遷移要求を送信してもよい。
【００７４】
［実施形態２］
次に、図７から図９を参照して、実施形態２について説明する。
【００７５】
上述した実施形態１では、ユーザがデジタルカメラ１００の起動状態がスタンバイ状態から遠隔操作のみで撮影機能を起動しようとした場合にユーザに撮影機能を有効にすることの確認を促す警告メッセージを表示する例について述べた。実施形態２では、これに加えて、デジタルカメラ１００の起動状態が電源ＯＮ状態のときにリモコンの機能を利用しようとした際に警告メッセージを表示する場合について説明する。このようにする理由は、レンズ鏡筒の繰り出しという動作は、スタンバイ状態からの起動のみならず、再生モードから撮影モードに遷移する場合にも生じるからである。
【００７６】
なお、デジタルカメラ１００とスマートデバイス２００の構成、スマートデバイス２００の画面表示例は実施形態１と同様であるため説明を省略する。
【００７７】
まず、図３の画面表示例を参照しながら図７でスマートデバイス２００とデジタルカメラ１００の通信シーケンスについて説明する。なお、図７の通信シーケンスはスマートデバイス２００とデジタルカメラ１００がＢＬＥでの通信可能な状態となった時点から始まり、図７のＳ７０１およびＳ７０２の手順は、図３のＳ３０１およびＳ３０２と同様である。
【００７８】
ユーザがＳ７０２で画面３０２で“撮影リモコン”を選択すると、Ｓ７０３でスマートデバイス２００からデジタルカメラ１００へ撮影モード遷移要求が送信される。デジタルカメラ１００は撮影モード遷移要求を受信すると、Ｓ７０４でカメラの起動状態や操作部への操作を含むカメラの内部状態を確認する。ここでの操作部への操作の確認は、起動状態が電源ＯＮのときに行われる。そして、操作部への操作の確認は、デジタルカメラ１００がスタンバイ状態または電源ＯＦＦ状態から電源ＯＮの状態になり、現在までに一度でもデジタルカメラ１００の本体に搭載される操作部が操作されたか否かを確認することを含む。この確認を行うのは以下の理由による。すなわち、ユーザ操作が行われた場合には、レンズ鏡筒の繰り出しが問題となるシーンではないと考えられる。なぜなら、デジタルカメラ１００本体にユーザが触れていることは、つまりデジタルカメラ１００がバッグの中ではなく、ユーザが把持している可能性が高いためである。一方、一度もユーザ操作が行われていない場合は、カメラはバッグの中にある可能性がある。従って、ユーザ操作の有無をチェックすることで、デジタルカメラ１００がレンズ鏡筒の繰り出しが問題となるシーンかどうかを判断する。問題となる場合には、撮影モードへ遷移してよいか確認が必要であると判断する。そして、ユーザに対して本当に撮影モードへ遷移してよいか確認が必要と判断した場合にはＳ７０５でスマートデバイス２００に対してレンズ繰り出し確認要求を送信する。スマートデバイス２００はデジタルカメラ１００からレンズ繰り出し確認要求を受信すると、Ｓ７０６で表示部２０６に図３の画面３０３のような警告メッセージを表示し、ユーザの選択を待つ。ユーザがＳ７０７で“はい”を選択すると、スマートデバイス２００はＳ７０８でレンズ繰り出し確認応答に“はい”の情報を含ませて返信する。デジタルカメラ１００はスマートデバイス２００からレンズ繰り出し確認応答を受信すると、Ｓ７０９で必要に応じて起動状態を電源ＯＮにし、撮影モードに遷移し、Ｓ７１０で撮影モード遷移応答をスマートデバイス２００へ送信する。スマートデバイス２００は、デジタルカメラ１００から撮影モード遷移応答を受信すると、Ｓ７１１で表示部２０６に図３の画面３０４のようなリモコン画面を表示する。ユーザはリモコン画面を操作することによってデジタルカメラ１００の撮影動作を制御することが可能となる。
【００７９】
＜スマートデバイスの動作＞
次に、図８を参照して、本実施形態のスマートデバイス２００の動作を説明する。なお、以下の説明では、図５と異なる点を中心に説明を行う。
【００８０】
Ｓ８０１では、制御部２０１は、近距離無線通信部２１２を介してデジタルカメラ１００に撮影モード遷移要求を送信する。
【００８１】
Ｓ８０２では、制御部２０１は、デジタルカメラ１００からのコマンドの応答を待ち、応答を受信すると、処理をＳ８０３へ進める。
【００８２】
Ｓ８０３では、制御部２０１は、デジタルカメラ１００から受信したコマンドを判定する。制御部２０１は、デジタルカメラ１００から受信したコマンドが撮影モード遷移応答であると判定した場合には、処理をＳ８１０へ進め、レンズ繰り出し確認要求であると判定した場合には、処理をＳ８０４へ進める。
【００８３】
Ｓ８０４、Ｓ８０５、Ｓ８０６は、図５のＳ５０４、Ｓ５０５、Ｓ５０６と同様である。制御部２０１は、Ｓ８０６でユーザが“はい”を選択したと判定した場合は、処理をＳ８０８へ進め、ユーザが“いいえ”を選択したと判定した場合は、ユーザが撮影リモコンの操作を続ける意思がないと判断できるので、処理をＳ８０７に進める。
【００８４】
Ｓ８０７では、制御部２０１は、近距離無線通信部２１２を介してデジタルカメラ１００へ“いいえ”の情報を含むレンズ繰り出し確認応答を送信し、図３の画面３０２に戻り、処理を終了する。
【００８５】
Ｓ８０８では、制御部２０１は、近距離無線通信部２１２を介して、デジタルカメラ１００へ“はい”の情報を含むレンズ繰り出し確認応答を送信する。
【００８６】
Ｓ８０９では、制御部２０１は、デジタルカメラ１００から撮影モード遷移応答が送信されるのを待つ。制御部２０１は、デジタルカメラ１００から近距離無線通信部２１２を介して撮影モード遷移応答を受信すると、処理をＳ８１０に進める。
【００８７】
Ｓ８１０は、図５のＳ５１１と同様である。
【００８８】
＜デジタルカメラの動作＞
次に、図９を参照して、本実施形態のデジタルカメラ１００の動作を説明する。なお、以下の説明では、図６と異なる点を中心に説明を行う。
【００８９】
Ｓ９０１では、副制御部１１６は、図６のＳ６０８と同様に、近距離無線通信部１１２を介してスマートデバイス２００から撮影モード遷移要求を受信するのを待つ。副制御部１１６は、スマートデバイス２００から撮影モード遷移要求を受信すると、処理をＳ９０２に進める。
【００９０】
Ｓ９０２では、副制御部１１６は、図６のＳ６０２と同様に、デジタルカメラ１００から受信した撮影モード遷移要求に応じてデジタルカメラ１００の起動状態を確認する。
【００９１】
Ｓ９０３では、副制御部１１６は、図６のＳ６０４と同様に、デジタルカメラ１００の起動状態を判定する。副制御部１１６はデジタルカメラ１００の起動状態がスタンバイ状態であると判定した場合には、処理をＳ９０６へ進め、スタンバイ状態ではない（すなわち電源ＯＮ状態である）と判定した場合には、処理をＳ９０４に進める。
【００９２】
Ｓ９０４では、副制御部１１６は、デジタルカメラ１００が電源ＯＮ状態になった後に操作部１０５への操作を含むカメラの内部状態を確認する。すなわち、デジタルカメラ１００がスタンバイ状態または電源ＯＦＦ状態から電源ＯＮの状態になり、現在までに一度でもデジタルカメラ１００の本体に搭載される操作部が操作されたか否かを確認する。なお、Ｓ９０４のカメラ内部状態の確認では、副制御部１１６は、カメラ起動状態確認のタイミングで電源管理部１０８もしくは制御部１０１に問い合せを行ってもよい。あるいは、予め操作部が操作される度に制御部１０１から通知を受け取り、メモリ１０４に記憶するようにしてもよい。
【００９３】
Ｓ９０５では、副制御部１１６は、操作部１０５への操作があったと判定した場合には、処理をＳ９０９へ進め、操作がなかったと判定した場合には、処理をＳ９０６へ進める。
【００９４】
Ｓ９０６では、副制御部１１６は、近距離無線通信部１１２を介してスマートデバイス２００へレンズ繰り出し確認要求を送信する。これにより、操作がなかった場合、すなわち、デジタルカメラ１００がバッグの中にある可能性がある状態で、レンズ繰り出しをして故障などの不都合が生じないように、ユーザに確認することができる。
【００９５】
Ｓ９０７では、副制御部１１６は、スマートデバイス２００から近距離無線通信部１１２を介してレンズ繰り出し確認応答を受信するのを待つ。副制御部１１６は、スマートデバイス２００からレンズ繰り出し確認応答を受信すると、処理をＳ９０８に進める。
【００９６】
Ｓ９０８では、副制御部１１６は、スマートフォンか２００から受信したレンズ繰り出し確認応答に“はい”の情報が含まれているか、“いいえ”の情報が含まれているかを判定する。副制御部１１６は、”いいえ”の情報が含まれていると判定した場合は、ユーザが撮影リモコンの操作を続ける意思がないと判断し、処理を終了する。また、副制御部１１６は、”はい”の情報が含まれていると判定した場合は、処理をＳ９０９へ進める。
【００９７】
Ｓ９０９では、副制御部１１６は、Ｓ９０３と同様にカメラの起動状態の判定を行い、スタンバイ状態と判定した場合は、処理をＳ９１０に進め、スタンバイ状態ではない（すなわち電源ＯＮ状態である）と判定した場合は、処理をＳ９１１に進める。
【００９８】
Ｓ９１０では、副制御部１１６は、図６のＳ６０６と同様に、電源管理部１０８を制御して、デジタルカメラ１００を電源ＯＮ状態とし、処理をＳ９１１へ進める。
【００９９】
Ｓ９１１、Ｓ９１２、Ｓ９１３は、図６のＳ６０９、Ｓ６１０、Ｓ６１１と同様である。
【０１００】
以上のように、本実施形態によれば、デジタルカメラ１００が起動状態であっても操作部１０５への操作がない場合にはユーザに対してレンズ鏡筒の繰り出しを行ってもよいかどうかを確認する確認情報として警告メッセージを表示する。したがって、例えば、レンズ鏡筒の繰り出しを伴わない図３の画面３０２のような無線ＬＡＮ接続（ハンドオーバー）や再生リモコン等のコマンドによってデジタルカメラ１００が電源ＯＮ状態となり、その後に撮影リモコンコマンドによってレンズ鏡筒の繰り出しが行われる場合であっても、ユーザに確認を促すことが可能となり、安全かつ煩わしさなしにスマートデバイスからの遠隔撮影操作が可能となる。
【０１０１】
なお、撮影モードにおいてデジタルカメラ１００がレンズ鏡筒の繰り出しを行わないタイプの場合には、繰り出しによる問題は生じない。そこで、レンズ鏡筒の繰り出しを行わないタイプの場合は、スマートデバイス２００からの撮影モード遷移要求に対して、起動状態や操作部からの操作の有無に関わらず、デジタルカメラ１００は撮影モード遷移応答を返信するようにしてもよい。なお、レンズ鏡筒の繰り出しを行わないタイプのカメラとしては、例えば一眼カメラのようにレンズが別体のカメラや、レンズ鏡筒全体がカメラ筐体内に収まっていて、ズームのためのレンズの移動は筐体内で行われるようなカメラが挙げられる。これらのカメラの識別情報を取得することで、警告メッセージを表示すべきか否かを判断することができる。
【０１０２】
なお、上述した各実施形態では、デジタルカメラ１００とスマートデバイス２００の通信はそれぞれの近距離無線通信部１１２、２１２を介したＢＬＥ通信の例を説明したが、撮影モード遷移要求は図３の画面３０２で例示したような無線ＬＡＮ接続（ハンドオーバー）等のコマンドによって互いの通信部１１１、２１１を無線ＬＡＮで接続した後に無線ＬＡＮを介して撮影モード遷移要求を送信する場合にも適用可能である。
【０１０３】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１０４】
１００…デジタルカメラ、１０１…制御部、１１２…近距離無線通信部、１１６…副制御部、２００…スマートデバイス、２０１…制御部、２０６…表示部、２１２…近距離無線通信部
【図１】
0006700821.tif 000002
【図２】
0006700821.tif 000003
【図３】
0006700821.tif 000004
【図４】
0006700821.tif 000005
【図５】
0006700821.tif 000006
【図６】
0006700821.tif 000007
【図７】
0006700821.tif 000008
【図８】
0006700821.tif 000009
【図９】
0006700821.tif 000010